(57)【要約】      （修正有）【課題】画像形成及び画像維持の際にかかる労力を軽減することのできる付け爪、及び、付け爪システムを提供する。【解決手段】付け爪３は、近距離無線により電力及び画像データを受信可能な第１の受信部と、爪形状に形成された電子ペーパーから構成された表示層６と、受信した電力により駆動されて、受信した画像データに基づく画像を表示するように電子ペーパー６を制御する制御層５と、を備えている。【選択図】図２
2016083068.tif 000002
【特許請求の範囲】
【請求項１】
近距離無線により電力及び画像データを受信可能な第１の受信部と、
爪形状に形成された電子ペーパーと、
前記受信した電力により駆動されて、前記受信した画像データに基づく画像を表示するように前記電子ペーパーを制御する制御部と、
を備えたことを特徴とする付け爪。
【請求項２】
近距離無線により電力及び画像データを送信可能な第１の送信部を有するデータ提供装置と、
前記第１の送信部から送信された電力及び画像データを前記近距離無線により受信可能な第１の受信部と、爪形状に形成された電子ペーパーと、前記受信した電力により駆動されて、前記受信した画像データに基づく画像を表示するように前記電子ペーパーを制御する制御部と、を有する付け爪と、
備えたことを特徴とする付け爪システム。
【請求項３】
前記付け爪のユーザに所有されるデータ転送装置であって、
前記第１の受信部よりも高い受信能力を有し前記第１の送信部から送信された電力及び画像データを前記近距離無線により受信可能な第２の受信部と、前記受信した電力及び画像データを前記第１の受信部に送信可能な第２の送信部と、を有するデータ転送装置を更に備えたことを特徴とする請求項２に記載の付け爪システム。
【発明の詳細な説明】
【技術分野】
【０００１】
本発明は、爪に装着される付け爪、及び、付け爪システムに関する。
【背景技術】
【０００２】
従来より、内蔵された有機ＥＬディスプレイにより、所望の画像を表示可能な付け爪が提案されている。（例えば、特許文献１参照）。
【先行技術文献】
【特許文献】
【０００３】
【特許文献１】特許第４８９７８４７号公報
【発明の概要】
【発明が解決しようとする課題】
【０００４】
ところで、有機ＥＬディスプレイは、形成された画像を維持するための電力を常時必要とするため、上記特許文献１では、付け爪内に更にバッテリーを内蔵し、専用の充電器により充電を行う構成となっている。
【０００５】
しかしながら、画像形成及び画像維持の際に、バッテリーの充電量が足りなくなるたびに専用の充電器により充電を行うことはユーザにとって大きな労力となる。
【０００６】
そこで、本発明は、画像形成及び画像維持の際にかかる労力を軽減することのできる付け爪、及び、付け爪システムを提供することを目的としている。
【課題を解決するための手段】
【０００７】
上記課題を解決するために、本発明は、近距離無線により電力及び画像データを受信可能な第１の受信部と、爪形状に形成された電子ペーパーと、前記受信した電力により駆動されて、前記受信した画像データに基づく画像を表示するように前記電子ペーパーを制御する制御部と、を備えたことを特徴とする付け爪を提供している。
【０００８】
電子ペーパーは、形成された画像の維持には電力を必要とせず、画像形成の際に微小な電力を必要とするのみである。そこで、本発明では、微小な電力であれば供給可能な近距離無線通信により、データ提供装置から付け爪に画像形成の際に必要な電力を供給している。
【０００９】
このような構成により、バッテリーや専用の充電器を備える必要がなくなるので、バッテリーの充電量が足りなくなるたびに充電を行う労力も不要となり、これにより、画像形成及び画像維持の際にかかる労力が軽減される。また、バッテリーを内蔵する必要がないこと、及び、電子ペーパーを用いたことにより、付け爪の厚みが増加することも抑制されている。
【００１０】
また、本発明の別の観点によれば、近距離無線により電力及び画像データを送信可能な第１の送信部を有するデータ提供装置と、前記第１の送信部から送信された電力及び画像データを前記近距離無線により受信可能な第１の受信部と、爪形状に形成された電子ペーパーと、前記受信した電力により駆動されて、前記受信した画像データに基づく画像を表示するように前記電子ペーパーを制御する制御部と、を有する付け爪と、備えたことを特徴とする付け爪システムを提供している。
【００１１】
電子ペーパーは、形成された画像の維持には電力を必要とせず、画像形成の際に微小な電力を必要とするのみである。そこで、本発明では、微小な電力であれば供給可能な近距離無線通信により、データ提供装置から付け爪に画像形成の際に必要な電力を供給している。
【００１２】
このような構成により、バッテリーや専用の充電器を備える必要がなくなるので、バッテリーの充電量が足りなくなるたびに充電を行う労力も不要となり、これにより、画像形成及び画像維持の際にかかる労力が軽減される。また、バッテリーを内蔵する必要がないこと、及び、電子ペーパーを用いたことにより、付け爪の厚みが増加することも抑制されている。
【００１３】
また、本発明の付け爪システムは、前記付け爪のユーザに所有されるデータ転送装置であって、前記第１の受信部よりも高い受信能力を有し、前記第１の送信部から送信された電力及び画像データを前記近距離無線により受信可能な第２の受信部と、前記受信した電力及び画像データを前記第１の受信部に送信可能な第２の送信部と、を有するデータ転送装置を更に備えていることが好ましい。
【００１４】
このような構成によれば、付け爪のユーザに所有されており、付け爪の第１の受信部よりも高い受信能力を有する第２の受信部を有するデータ転送装置により一旦電力及び画像を受信した後、付け爪に転送するので、データ提供装置と付け爪との距離が離れている場合であっても、付け爪がデータ提供装置から送信された電力及び画像データを受信することが可能となる。
【発明の効果】
【００１５】
本発明の付け爪、及び、付け爪システムによれば、画像形成及び画像維持の際にかかる労力を軽減することが可能となる。
【図面の簡単な説明】
【００１６】
【図１】本発明の第１の実施の形態による付け爪システムのブロック図
【図２】本発明の第１の実施の形態による付け爪の説明図
【図３】本発明の第２の実施の形態による付け爪システムのブロック図
【発明を実施するための形態】
【００１７】
以下、本発明の第１の実施の形態による付け爪システム１及び付け爪３について、図１及び図２を参照して説明する。
【００１８】
図１に示すように、付け爪システム１は、データ提供装置２と、付け爪３と、を備えており、データ提供装置２から提供された画像を、付け爪３上に表示するものである。
【００１９】
データ提供装置２は、近距離無線通信により電力及び画像データを送信するための第１の送信部２１を備えた装置であり、例えば、スマートフォン、タブレット等が考えられる。
【００２０】
図２に示すように、付け爪３は、いずれも略同一の爪形状を有する接合層４と、制御層５と、表示層６と、表面層７と、が積層された構成となっている。
【００２１】
接合層４は、利用者の爪に接合される層であり、防水機能及び絶縁断熱機能を有する素材により形成されている。
【００２２】
制御層５は、表示層６を制御するための層であり、フレキシブルプリント基板により構成されている。制御層５は、近距離無線アンテナ及び通信モジュールから構成され、第１の送信部２１から送信された電力及び画像データを近距離無線により受信可能な第１の受信部５１を備えており、電力及び画像データが第１の受信部５１により受信されると、制御層５は、受信した電力により駆動されて、受信した画像データを表示層６に表示させるための制御信号を表示層６に送信する。
【００２３】
表示層６は、画像表示可能な電子ペーパーにより構成された層であり、制御層５から送信された制御信号により、画像データに対応した画像が形成される。例えば、表示層６を構成する電子ペーパーがマイクロカプセル型電気泳動方式の場合、表示する画素に対応するマイクロカプセルは表面に近づくように、表示しない画素に対応するマイクロカプセルは表面から遠ざかるように制御され、これにより表示層６上に画像が形成される。
【００２４】
表面層７は、防水機能及び絶縁断熱機能を有すると共に、表示層６に形成された画像を視認可能な透過性を有する素材により形成されている。
【００２５】
このような構成により、データ提供装置２と付け爪３とが近距離無線通信可能な距離にある状態で、データ提供装置２から電力及び画像データが送信されると、当該電力により制御層５が駆動され、当該画像データに対応した画像が表示層６上に形成される。
【００２６】
ここで、表示層６を構成する電子ペーパーは、形成された画像の維持には電力を必要とせず、画像形成の際に微小な電力を必要とするのみである。
【００２７】
そこで、本実施の形態による付け爪システム１、及び、付け爪３では、微小な電力であれば供給可能な近距離無線通信により、スマートフォン等のデータ提供装置２から付け爪３に画像形成の際に必要な電力を供給している。
【００２８】
このような構成により、バッテリーや専用の充電器を備える必要がなくなるので、バッテリーの充電量が足りなくなるたびに充電を行う労力も不要となり、これにより、画像形成及び画像維持の際にかかる労力が軽減されている。また、バッテリーを内蔵する必要がないことにより、付け爪３の厚みが増加することも抑制されている。
【００２９】
更に、電子ペーパーは、極めて薄く製作することが可能である。従って、本実施の形態による付け爪３では、電子ペーパーを用いたこと自体によっても、厚みが増加することが抑制されている。
【００３０】
なお、上記した付け爪システム１は、サービス提供側がデータ提供装置２を所持し、サービス享受側が付け爪３を装着していることで、宣伝広告や集客に利用することが可能である。
【００３１】
例えば、店内にデータ提供装置２を設けておけば、客の付け爪３に自動的に宣伝広告等を表示することが可能であり、店内の提供装置２から人気画像等を送信するようにしておけば、付け爪３への当該人気画像の取得を目的とした集客が見込まれる。
【００３２】
次に、本発明の第２の実施の形態による付け爪システム１０について図３を参照して説明する。
【００３３】
第１の実施の形態において、付け爪３に備えられた第１の受信部５１は、付け爪３の美観を損なわせないサイズのものであることが好ましい。しかしながら、例えば、店内にデータ提供装置２が設けられており、データ提供装置２と付け爪３のユーザが近距離でないような場合には、小さなサイズの第１の受信部５１では、データ提供装置２から送信された電力及び画像データを受信することが難しい場合も考えられる。
【００３４】
そこで、本実施の形態による付け爪システム１０では、図３に示すように、近距離無線により、データ提供装置２から電力及び画像データを取得して付け爪３に転送するデータ転送装置８を更に備えている。
【００３５】
データ転送装置８は、付け爪３のユーザに所有されているもので、例えば、ブレスレットと一体的に形成されており、内部に、第２の受信部８１と、第２の送信部８２と、を備えている。
【００３６】
ブレスレットは、付け爪３よりもはるかに大きな容積を有しているため、第２の受信部８１は、第１の受信部５１よりもはるかに大きなサイズものを採用することが可能である。従って、データ転送装置８の第２の受信部８１は、付け爪３の第１の受信部５１よりも高い受信能力を有し、遠くからの電力及び画像データを受信することが可能である。
【００３７】
データ転送装置８は、受信した電力及び画像データを一旦蓄積した後、第２の送信部８２から付け爪３に近距離無線により転送する。
【００３８】
ここで、ブレスレット等のデータ転送装置８は、付け爪３のユーザが所有しているものであるため、付け爪３と極めて近距離に位置している。従って、付け爪３の小さなサイズの受信部５１であっても、データ転送装置８から転送された電力及び画像データを近距離無線により取得することが可能となる。
【００３９】
このように、本実施の形態による付け爪システム１０では、付け爪３のユーザに所有されており、付け爪３の第１の受信部５１よりも高い受信能力を有する第２の受信部８１を有するデータ転送装置８により一旦電力及び画像を受信した後、付け爪３に転送するので、データ提供装置２と付け爪３との距離が離れている場合であっても、付け爪３がデータ提供装置２から送信された電力及び画像データを受信することが可能となる。
【００４０】
尚、本発明の付け爪、及び、付け爪システムは、上述した実施の形態に限定されず、特許請求の範囲に記載した範囲で種々の変形や改良が可能である。
【００４１】
例えば、上記実施の形態では、表示層６の一例として、マイクロカプセル型電気泳動方式の電子ペーパーを用いて説明したが、その他の方式の電子ペーパーを用いてもよい。
【００４２】
また、制御層５は、付け爪３の厚みを著しく増加させるものでなれば、フレキシブルプリント基板以外の部材を用いてもよい。
【００４３】
また、第１の受信部５１は、制御層５以外の層に設けられていてもよい。
【００４４】
また、上記実施の形態では、来店した客の付け爪３に自動的に画像データを送信することとしたが、例えば、ユーザが、データ提供装置２の送信ボタンを押した場合のみ、画像データを送信してもよい。その場合には、データ提供装置２における近距離無線による送信可能距離を短く設定しておけば、送信ボタンを押した客の付け爪３にのみ画像データが送信され、店内にいる画像取得を希望しない客の付け爪３には画像が送信されないようにすることができる。
【００４５】
また、第２の実施の形態では、データ転送装置８は、ブレスレットと一体的に形成されているものとしたが、ブレスレットに限らず、他の装飾品であってもよいし、装飾品以外の専用装置であってもよい。
【符号の説明】
【００４６】
１          付け爪システム
２          データ提供装置
３          付け爪
４          接合層
５          制御層
６          表示層
７          表面層
８          データ転送装置
１０        付け爪システム
２１        第１の送信部
５１        第１の受信部
８１        第２の受信部
８２        第２の送信部
【図１】
2016083068.tif 000003
【図２】
2016083068.tif 000004
【図３】
2016083068.tif 000005
【手続補正書】
【提出日】平成27年9月11日(2015.9.11)
【手続補正１】
【補正対象書類名】特許請求の範囲
【補正対象項目名】全文
【補正方法】変更
【補正の内容】
【特許請求の範囲】
【請求項１】
近距離無線によりスマートフォン又はタブレットから送信された電力及び画像データを直接受信可能な第１の受信部と、
爪形状に形成された電子ペーパーと、
前記受信した電力により駆動されて、前記受信した画像データに基づく画像を表示するように前記電子ペーパーを制御する制御部と、
を備えたことを特徴とする付け爪。
【請求項２】
近距離無線により電力及び画像データを送信可能な第１の送信部を有するデータ提供装置と、
前記第１の送信部から送信された電力及び画像データを前記近距離無線により直接受信可能な第１の受信部と、爪形状に形成された電子ペーパーと、前記受信した電力により駆動されて、前記受信した画像データに基づく画像を表示するように前記電子ペーパーを制御する制御部と、を有する付け爪と、
備えた付け爪システムであって、
前記第１の送信部との間で前記近距離無線通信可能な距離に複数の人間がそれぞれ装着している複数の前記付け爪が存在する場合において、前記第１の送信部から電力及び画像データが送信されると、前記複数の付け爪の制御部は、一斉に、前記受信した画像データに基づく画像を表示するように前記電子ペーパーを制御することを特徴とする付け爪システム。
【請求項３】
前記データ提供装置及び前記付け爪とは別体に設けられたデータ転送装置であって、
前記第１の受信部よりも高い受信能力を有し前記第１の送信部から送信された電力及び画像データを前記近距離無線により受信可能な第２の受信部と、前記受信した電力及び画像データを前記第１の受信部に送信可能な第２の送信部と、を有するデータ転送装置と、
を備えたことを特徴とする請求項２に記載の付け爪システム。